(57)【要約】【課題】装置から基板を取り外す装置において、取り外された基板に接続される基板の故障を防止すること。【解決手段】コネクタ１ａを有する第１の基板１は、画像形成装置から取り外し可能である。第１の基板１は、コネクタ１ａとコネクタ２ａを介して第２の基板２と接続する。また、コネクタ２ａと接続可能なコネクタ９ａを有する第３の基板９を有する。第３の基板９は、コネクタ２ａがコネクタ９ａに接続可能な位置に設けられている。第１の基板１を取り外すとき、コネクタ２ａをコネクタ９ａに接続する。【選択図】図１
2014178428.tif 000002
【特許請求の範囲】
【請求項１】
第１の端子を有する取り外し可能な第１の基板と、
第２の端子を有し、前記第１の端子及び前記第２の端子を介して前記第１の基板と接続する第２の基板と、
前記第２の端子と接続可能な第３の端子を有する第３の基板と、を備え、
前記第３の基板は、前記第２の端子が前記第３の端子に接続可能な位置に設けられていることを特徴とする電子装置。
【請求項２】
前記第２の基板は、前記第２の端子が前記第３の端子に接続しているとき、前記第３の端子を介して、グラウンドに接続することを特徴とする請求項１に記載の電子装置。
【請求項３】
前記第３の端子は、前記電子装置の筐体を通してグラウンドへ接続されていることを特徴とする請求項２に記載の電子装置。
【請求項４】
前記第２の端子のグラウンドに接続する信号線を除いた残りの信号線は、前記第２の端子が前記第３の端子に接続しているとき、オープン状態であることを特徴とする請求項２又は３に記載の電子装置。
【請求項５】
前記第３の基板は、電子装置に固定されていることを特徴とする請求項１から４のいずれか１項に記載の電子装置。
【請求項６】
前記第１の基板を収納する筐体を備え、前記第１の基板は、該基板を収納する筐体ごと前記電子装置から取り外されることを特徴とする請求項１から５のいずれか１項に記載の電子装置。
【請求項７】
請求項１から６のいずれか１項に記載の電子装置として機能することを特徴とする画像形成装置。
【発明の詳細な説明】
【技術分野】
【０００１】
本発明は、電子装置及び画像形成装置に関し、特に、装置内部の電装基板の一部が取り外されるものに関する。
【背景技術】
【０００２】
電子装置の技術分野においては、複数の電装基板を電子装置の筐体に収納することが一般的によくなされている。このような電子装置においては、一部の基板を電子装置の筐体から取り外し可能にした装置が従来知られている（例えば、特許文献１）。特許文献１に記載の従来技術においては、取り外し可能にした一部の電装基板を「エレキボックス」と呼ぶ収納用の筐体内部に収納し、この収納用の筐体をさらに画像形成装置の中に収納している。
【発明の概要】
【発明が解決しようとする課題】
【０００３】
取り外し可能にした電装基板は、内部に取り付けられた複数の電装基板の全部ではない。取り外した後、残りの電装基板は、取り付け態様によっては電子装置の内部に宙吊り状態となっている。そのため、グラウンドに接続されていない状態であり、メンテナンス作業中に接触して故障するなどの問題があった。
【０００４】
本発明は、上記実情に鑑みてなされたものであって、装置から基板を取り外す装置において、取り外された基板に接続される基板の故障を防止することを目的とする。
【課題を解決するための手段】
【０００５】
上記目的を達成するための本発明の一態様は、第１の端子を有する取り外し可能な第１の基板と、第２の端子を有し、前記第１の端子及び前記第２の端子を介して前記第１の基板と接続する第２の基板と、前記第２の端子と接続可能な第３の端子を有する第３の基板と、を備え、前記第３の基板は、前記第２の端子が前記第３の端子に接続可能な位置に設けられていることを特徴とする。
【発明の効果】
【０００６】
本発明によれば、装置から基板を取り外す装置において、取り外された基板に接続される基板の故障を防止することが可能となる。
【図面の簡単な説明】
【０００７】
【図１】本発明による実施形態の構成を示す透視図である。
【図２】図１のコネクタ１ａと２ａの接続状態を示す図である。
【図３】図１のボックス５を取り外した状態を示す図である。
【図４】上記実施形態において、ボックス５を取り外して第２基板２と第３基板９を接続させた状態を示す図である。
【図５】図４のコネクタ２ａと９ａの接続状態を示す図である。
【発明を実施するための形態】
【０００８】
以下に、本実施形態の電装基板の支持構造について、図面を参照しながら詳細に説明する。なお、本実施形態は以下に述べるものに限定されず、その趣旨を逸脱しない範囲において種々変更が可能である。
【０００９】
図１は、本実施形態の構成を示す透視図である。図１に示すように、本実施形態の電装基板の支持構造は、第１基板１とコントローラ３と画像処理ユニット４とを備え、これらがボックス５の内部に収納されている。また、第１基板１とボックス５の接続面の一部には開口部６が設けられ、この開口部６から第１基板１のコネクタ１ａが露出している。そして、このコネクタ１ａとボックス５の外部に配置された第２基板２のコネクタ２ａとが接続される。
【００１０】
コントローラ３と画像処理ユニット４が、第１基板１にそれぞれコネクタ同士で接続されており、これらがボックス５の内部に存在するように構成されている。
【００１１】
なお、第１基板１は、画像形成装置の画像形成・出力など各種の画像形成処理に関わる電装部品を有する基板である。コントローラ３は、画像形成装置における画像データの出力タイミングなどをコントロールする。画像処理ユニット４は、画像処理を行う基板である。
【００１２】
第２基板２は、ボックス５内に収納されたコントローラ３や画像処理ユニット４と画像形成装置の各機能部である操作部や書込部、読取部（不図示）などにおける電気信号の送受信の仲介を行う基板であり、ボックス５外部に配置される。この第２基板２には、ボックス５の開口部６から露出した第１基板１のコネクタ１ａと第２基板２のコネクタ２ａを介して接続可能な状態になっている。
【００１３】
また、第１基板１と第２基板２を接続するコネクタ１ａと２ａには、画像形成装置としての動作に必要な信号線以外にＧＮＤ線が設けられており、コネクタ同士を介してＧＮＤ線によりグラウンドに接続されている（図２）。
【００１４】
第２基板２には、上述した操作部、書込部、読取部などへのハーネスが接続されており、接続されるハーネスを差し込むための、コネクタ２ａ以外の各コネクタが集約されている。
【００１５】
ボックス５は、板金などからなる金属製の箱形ケースである。本実施形態では、第１基板１とコントローラ３と画像処理ユニット４がボックス５に収納されている。ボックス５は金属製であるので、各基板から放射される電磁波や電磁波により発生するノイズなどを反射することができる。
【００１６】
また、このボックス５内部の第１基板１と外部基板である第２基板２を接続するために設けられた開口部６の大きさとしては、内部基板である第１基板１の有するコネクタ１ａの面積分だけの大きさでよく、第１基板１と第２基板２のコネクタ同士が接続可能な分の大きさであればよい。一般的には、開口部６の大きさが小さいほどボックス５内部で放射された電磁波を閉じこめることができる。
【００１７】
ボックス５外部の角に、ボックス５を揺動可能とする支持部材である回転軸８を備え、この回転軸８により本実施形態の画像形成装置の内側・外側へと揺動することができる。
【００１８】
図３に、ボックス５を取り外した状態の画像形成装置を示す。図３に示すように、ボックス５は、上述したように各基板を内包（収納）しているので、第１の基板１、コントローラ３と画像処理ユニット４などの各基板のメンテナンス時はボックス５ごと取り外して作業を行うことができる。
【００１９】
図４に、ボックス５を取り外して第２基板２と第３基板９を接続させた状態を示す。図１〜３では画像形成装置の読取部（スキャナ）の記載を省略したが、図４には簡略的に示している。図１ないし図４に示すように、画像形成装置には第３基板９が設けられている。第３基板９は、ボックス５を画像形成装置から取り外したときに第１基板１から切り離した第２基板２を収納（固定）するための基板である。なお、ボックス５の取り外しは、第２基板２の固定のための必須の要件ではなく、ボックス５が取り付けられている状態で第２基板２を第３基板９に接続できるように構成してもよい。
【００２０】
第３基板９には、第２基板２を接続するためのコネクタ９ａが設けられている。コネクタ９ａは第２基板２のコネクタ２ａに接続可能に構成されている（図５）。第２基板２のコネクタ２ａのＧＮＤ線に対応するピンは、画像形成装置の筐体を通してグラウンドに接続されている。それにより、ボックス５を取り外したメンテナンス作業中でも、第２基板２は第３基板９を通して常時グラウンドに接続することができる。
【００２１】
また、第２基板２のピンの内でＧＮＤ線を除いた信号線に対応するピンは、オープンとしている。これは、第２基板２のピンに対応する第３基板９のピンがない状態や、第３基板９側で接続がオープンとなっている状態である。そのため、ボックス５を取り外したメンテナンス作業中に誤って画像形成装置の電源を投入しても、ショートする心配はない。
【００２２】
第２の基板２と、画像形成装置の操作部や書込部や読取部とをつなぐ接続は、画像形成装置内部に配設されるハーネスやケーブルによる（図１、図３、図４参照）。このハーネスやケーブルは可撓性を持ち、第２基板２は、画像形成装置内部をある程度自由に動くことができる。第３の基板９は、第２の基板２が自由に動くことができる範囲内に設置されている。したがって、第３の基板９の設置位置は、第２の基板２がコネクタ２ａ及び９ａを介して第３の基板９に接続可能な位置である。第１の基板１を取り外すとき、コネクタ２ａをコネクタ９ａに接続し、第３基板９から画像形成装置の筐体を介してグラウンドへ接続する。
【００２３】
上記実施形態によれば、装置から基板を取り外す装置において、取り外された基板に接続される基板の故障を防止することが可能となる。なお、以上に開示した技術的思想は、実施形態にて例示した画像形成装置に限定される技術的思想ではなく、その他の電子装置にも適用しうる。
【符号の説明】
【００２４】
１    第１基板
１ａ    コネクタ
２    第２基板
２ａ    コネクタ
３    コントローラ
４    画像処理ユニット
５    ボックス
６    開口部
９    第３基板
９ａ    コネクタ
【先行技術文献】
【特許文献】
【００２５】
【特許文献１】特開２００８−０１６７８７号公報
【図１】
2014178428.tif 000003
【図２】
2014178428.tif 000004
【図３】
2014178428.tif 000005
【図４】
2014178428.tif 000006
【図５】
2014178428.tif 000007